(57)【要約】【課題】展開した状態の意匠性が良い日射遮蔽装置とする。【解決手段】第１縦部材２と第２縦部材３とに渡って複数の板状部材４を上下方向に間隔を置いて取り付けた複数の日射遮蔽部材１を、各板状部材４が互いに上下方向に重なり合った収納状態と、展開状態とに移動自在とし、板状部材４の下面にストッパ受部材８１を取り付け、第２縦部材３にストッパ部材９０を取り付け、ストッパ部材９０がストッパ受部材８１に当接して複数の日射遮蔽部材が一体となって展開方向に移動するようにする。これにより、展開した状態でストッパ受部材８１、ストッパ部材９０が目立つことがなく、意匠性が良い日射遮蔽装置となる。【選択図】図１３
2015124515.tif 000002
【特許請求の範囲】
【請求項１】
上レールと下レールに移動自在に支持された複数の日射遮蔽部材を備え、
それぞれの前記日射遮蔽部材は、第１縦部材と第２縦部材とに渡って複数の板状部材を上下方向に間隔を置いて取り付け、前記第１縦部材は板状部材の幅方向一方側の長さ方向一方側に取り付けられ、前記第２縦部材は板状部材の幅方向他方側の長さ方向他方側に取り付けられたものとし、
それぞれの前記第１縦部材は板状部材の幅方向一方側において一列状に配置され、それぞれの前記第２縦部材は板状部材の幅方向他方側において一列状に配置され、
それぞれの前記日射遮蔽部材を収納方向に移動する際、前記板状部材同士が上下方向に重ね合わせられると共に、前記第１縦部材および第２縦部材が互いに近づく方向に移動され、
それぞれの前記日射遮蔽部材を展開方向に移動する際、前記第１縦部材及び第２縦部材が互いに離れる方向に移動される日射遮蔽装置であって、
前記日射遮蔽部材のうち戸先側に配置した日射遮蔽部材以外の日射遮蔽部材には、前記板状部材の下面にストッパ受部材を取り付け、
前記日射遮蔽部材のうち戸尻側に配置した日射遮蔽部材の第２縦部材以外の第２縦部材には、前記ストッパ受部材に当接するようにストッパ部材を取り付け、
前記ストッパ部材がストッパ受部材に当接して複数の日射遮蔽部材は一体となって展開方向に移動するようにしたことを特徴とする日射遮蔽装置。
【請求項２】
前記ストッパ受部材は、前記板状部材のうち最も下部に配置した板状部材に取り付けられ、
前記ストッパ部材は、第２縦部材の下部に取り付けてある請求項１記載の日射遮蔽装置。
【請求項３】
前記戸先側の日射遮蔽部材以外の日射遮蔽部材における板状部材は、下面に開口した凹部を長さ方向に連続して有し、前記凹部を有した板状部材の下面における展開側にストッパ受部材を、そのストッパ受部材が凹部内に突出するように取り付け、
前記戸尻側の日射遮蔽部材の第２縦部材以外の第２縦部材に、前記ストッパ受部材に当接するようにストッパ部材を取り付け、
前記ストッパ部材のストッパ部が凹部に沿って移動し、ストッパ部がストッパ受部材のストッパ受部に当接して複数の日射遮蔽部材は一体となって展開方向に移動するようにした請求項２記載の日射遮蔽装置。
【請求項４】
それぞれの前記日射遮蔽部材の第１縦部材の上部と第２縦部材の上部を、上レールに走行自在に吊り下げ支持し、
それぞれの前記日射遮蔽部材の第１縦部材の下部を、下レールに室内外側方向に振れ動きを抑制して支持し、
前記戸尻側の日射遮蔽部材の第２縦部材の下部を、下レールに室内外側方向に振れ動きを抑制して支持した請求項３記載の日射遮蔽装置。
【請求項５】
前記下レールは、下向きに開口したガイド溝を有し、
それぞれの前記日射遮蔽部材の第１縦部材の下部に第１下ガイドを取り付け、
前記戸尻側の日射遮蔽部材の第２縦部材の下部に第２下ガイドを取り付け、
前記第１下ガイド及び第２下ガイドを下レールのガイド溝に挿入して室内外側方向の振れ動きを抑制し、
前記下レールに、前記第２下ガイド、または前記戸尻側の日射遮蔽部材の第１縦部材の第１下ガイドが当接して戸尻側の日射遮蔽部材の展開方向への移動を規制するストッパ受を取り付けた請求項４記載の日射遮蔽装置。
【請求項６】
前記上レールは躯体の窓開口の上縁に沿った室外側に取り付けると共に、前記下レールは躯体の窓開口の下縁に沿った室外側に取り付けることで、展開状態の日射遮蔽部材が窓開口を覆い、収納状態の日射遮蔽部材は窓開口を開放するように構成し、
前記戸先側の日射遮蔽部材の第１縦部材に錠杆を備えた錠を取り付け、前記躯体の窓開口の展開側の室外側に錠受を取り付け
前記錠の錠杆を錠受に係止することで、展開状態の前記戸先側の日射遮蔽部材の第１縦部材を施錠できるようにした請求項１〜５いずれか１項記載の日射遮蔽装置。
【請求項７】
前記錠は、錠本体と錠杆と操作摘みを備え、操作摘みを操作することで錠杆が錠本体の展開側に突出した施錠状態及び収納側に突出した施錠状態となり、錠杆を錠本体の展開側に突出することで錠受に係止し、
前記戸先側の日射遮蔽部材の第１縦部材に補助錠を第１位置と第２位置とに渡って移動自在に取り付け、
前記補助錠が第１位置のときは錠の錠杆が錠本体の展開側に突出可能で、補助錠が第２位置のときは錠の錠杆が錠本体の収納側に突出不可能となるようにした請求項６記載の日射遮蔽装置。
【発明の詳細な説明】
【技術分野】
【０００１】
本発明は、窓等に設けられる日射遮蔽装置に関する。
【背景技術】
【０００２】
窓に設けられる日射遮蔽装置が特許文献１に開示されている。
この日射遮蔽装置は、窓の開口方向に移動する複数のフレーム部材を備え、各フレーム部材は第１縦部材、第２縦部材と、第１縦部材と第２縦部材とに渡って上下方向に間隔を置いて取り付けた複数の板状部材とを有している。隣接した２つのフレーム部材の板状部材は上下方向位置がずれ、２つのフレーム部材を、板状部材が重なり合うように収納できる。
【先行技術文献】
【特許文献】
【０００３】
【特許文献１】特開２０１２−１９７６４６号公報
【発明の概要】
【発明が解決しようとする課題】
【０００４】
特許文献１に開示した日射遮蔽装置は、フレーム部材を収納した状態から日射遮蔽のために展開するには、先端側のフレーム部材を引き出し方向に移動することで、他のフレーム部材が順次引き出しされ、フレーム部材が展開するようにしている。
このために、先端側のフレーム部材の板状部材に溝部材を形成し、他のフレーム部材の板状部材には溝部と凸部を形成し、凸部を溝部に嵌合することで、先端側のフレーム部材が引き出し方向に移動することにより、溝部の端部が次のフレーム部材の凸部と干渉し、次のフレーム部材が先端側のフレーム部材とともに引き出しされる。
展開した状態のフレーム部材を収納する場合も同様である。
【０００５】
特許文献１に開示した日射遮蔽装置は、前述のようにフレーム部材の板状部材の溝部と凸部が形成してあるので、フレーム部材を展開した状態で溝部と凸部が著しく目立つから、展開した状態での意匠性に難がある。
【０００６】
本発明の目的は、展開した状態での意匠性が良い日射遮蔽装置とすることである。
【課題を解決するための手段】
【０００７】
本発明は、上レールと下レールに移動自在に支持された複数の日射遮蔽部材を備え、
それぞれの前記日射遮蔽部材は、第１縦部材と第２縦部材とに渡って複数の板状部材を上下方向に間隔を置いて取り付け、前記第１縦部材は板状部材の幅方向一方側の長さ方向一方側に取り付けられ、前記第２縦部材は板状部材の幅方向他方側の長さ方向他方側に取り付けられたものとし、
それぞれの前記第１縦部材は板状部材の幅方向一方側において一列状に配置され、それぞれの前記第２縦部材は板状部材の幅方向他方側において一列状に配置され、
それぞれの前記日射遮蔽部材を収納方向に移動する際、前記板状部材同士が上下方向に重ね合わせられると共に、前記第１縦部材および第２縦部材が互いに近づく方向に移動され、
それぞれの前記日射遮蔽部材を展開方向に移動する際、前記第１縦部材及び第２縦部材が互いに離れる方向に移動される日射遮蔽装置であって、
前記日射遮蔽部材のうち戸先側に配置した日射遮蔽部材以外の日射遮蔽部材には、前記板状部材の下面にストッパ受部材を取り付け、
前記日射遮蔽部材のうち戸尻側に配置した日射遮蔽部材の第２縦部材以外の第２縦部材には、前記ストッパ受部材に当接するようにストッパ部材を取り付け、
前記ストッパ部材がストッパ受部材に当接して複数の日射遮蔽部材は一体となって展開方向に移動するようにしたことを特徴とする日射遮蔽装置である。
【０００８】
本発明は、前記ストッパ受部材は、前記板状部材のうち最も下部に配置した板状部材に取り付けられ、
前記ストッパ部材は、第２縦部材の下部に取り付けるようにできる。
このようにすれば、日射遮蔽部材を展開した状態であってもストッパ部材、ストッパ受部材がさらに目立つことがなく、展開した状態での意匠性が良い日射遮蔽装置とすることができる。
【０００９】
本発明は、前記戸先側の日射遮蔽部材以外の日射遮蔽部材における板状部材は、下面に開口した凹部を長さ方向に連続して有し、前記凹部を有した板状部材の下面における展開側にストッパ受部材を、そのストッパ受部材が凹部内に突出するように取り付け、
前記戸尻側の日射遮蔽部材の第２縦部材以外の第２縦部材に、前記ストッパ受部材に当接するようにストッパ部材を取り付け、
前記ストッパ部材のストッパ部が凹部に沿って移動し、ストッパ部がストッパ受部材のストッパ受部に当接して複数の日射遮蔽部材は一体となって展開方向に移動するようにできる。
このようにすれば、ストッパ部材のストッパ部と凹部とで、第２縦部材の下部と下部の板状部材が室内外側方向に振れ動くことを抑制できる。
【００１０】
本発明は、それぞれの前記日射遮蔽部材の第１縦部材の上部と第２縦部材の上部を、上レールに走行自在に吊り下げ支持し、
それぞれの前記日射遮蔽部材の第１縦部材の下部を、下レールに室内外側方向に振れ動きを抑制して支持し、
前記戸尻側の日射遮蔽部材の第２縦部材の下部を、下レールに室内外側方向に振れ動きを抑制して支持することができる。
このようにすれば、各日射遮蔽部材を展開方向及び収納方向に移動するときに室内外側方向に振れ動くことを抑制できる。
【００１１】
本発明は、前記下レールは、下向きに開口したガイド溝を有し、
それぞれの前記日射遮蔽部材の第１縦部材の下部に第１下ガイドを取り付け、
前記戸尻側の日射遮蔽部材の第２縦部材の下部に第２下ガイドを取り付け、
前記第１下ガイド及び第２下ガイドを下レールのガイド溝に挿入して室内外側方向の振れ動きを抑制し、
前記下レールに、前記第２下ガイド、または前記戸尻側の日射遮蔽部材の第１縦部材の第１下ガイドが当接して戸尻側の日射遮蔽部材の展開方向への移動を規制するストッパ受を取り付けできる。
このようにすれば、各日射遮蔽部材の下部の室内外側方向の振れ動きを抑制できると共に、戸尻側の日射遮蔽部材が所定位置よりも展開方向に移動しないようにできる。
【００１２】
本発明は、前記上レールは躯体の窓開口の上縁に沿った室外側に取り付けると共に、前記下レールは躯体の窓開口の下縁に沿った室外側に取り付けることで、展開状態の日射遮蔽部材が窓開口を覆い、収納状態の日射遮蔽部材は窓開口を開放するように構成し、
前記戸先側の日射遮蔽部材の第１縦部材に錠杆を備えた錠を取り付け、前記躯体の窓開口の展開側の室外側に錠受を取り付け
前記錠の錠杆を錠受に係止することで、展開状態の前記戸先側の日射遮蔽部材の第１縦部材を施錠できるようにできる。
このようにすれば、各日射遮蔽部材で窓開口を覆ったり、開放できる。
また、窓開口を覆った状態で施錠できるから、防犯上好ましい。
【００１３】
本発明は、前記錠は、錠本体と錠杆と操作摘みを備え、操作摘みを操作することで錠杆が錠本体の展開側に突出した施錠状態及び収納側に突出した施錠状態となり、錠杆を錠本体の展開側に突出することで錠受に係止し、
前記戸先側の日射遮蔽部材の第１縦部材に補助錠を第１位置と第２位置とに渡って移動自在に取り付け、
前記補助錠が第１位置のときは錠の錠杆が錠本体の展開側に突出可能で、補助錠が第２位置のときは錠の錠杆が錠本体の収納側に突出不可能となるようにできる。
このようにすれば、補助錠を第２位置とすれば、錠の操作摘みを操作して解錠できないので、防犯性がより向上する。
【発明の効果】
【００１４】
本発明によれば、第２縦部材に取り付けたストッパ部材を板状部材の下面に取り付けたストッパ受部材に当接することで、複数の日射遮蔽部材が一体となって移動するようにしたので、展開した状態であってもストッパ部材、ストッパ受部材が目立つことがなく、展開した状態での意匠性が良い日射遮蔽装置とすることができる。
【図面の簡単な説明】
【００１５】
【図１】日射遮蔽部材の概略斜視図である。
【図２】２つの日射遮蔽部材を収納した状態の概略斜視図である。
【図３】日射遮蔽装置の実施の形態を示す展開状態の概略外観図である。
【図４】図３の横断面図である。
【図５】日射遮蔽装置の実施の形態を示す収納状態の概略外観図である。
【図６】図５の横断面図である。
【図７】図４のＡ部拡大詳細図である。
【図８】図４のＢ部拡大詳細図である。
【図９】図３のＣ−Ｃ拡大詳細断面図である。
【図１０】図３のＤ−Ｄ拡大詳細断面図である。
【図１１】図４のＥ−Ｅ拡大詳細断面図である。
【図１２】図１１のＦ部拡大図である。
【図１３】図１２の平面図である。
【図１４】ストッパ受部材とストッパ部材を取り付けた部分の斜視図である。
【図１５】ストッパ受部材とストッパ部材の斜視図である。
【図１６】錠の正面図である。
【図１７】第２の実施の形態を示す展開側の錠部分の横断面図である。
【図１８】補助錠が第１位置にある状態を示す錠と補助錠の正面図である。
【図１９】補助錠が第２位置にある状態を示す錠と補助錠の正面図である。
【図２０】補助錠が第２位置にある状態を示す錠と補助錠の側面図である。
【発明を実施するための形態】
【００１６】
本発明の日射遮蔽装置を構成する日射遮蔽部材（従来のフレーム部材）を図１を参照して説明する。なお、日射遮蔽部材の移動方向を長さ方向とし、日射遮蔽部材の移動方向と直交する方向を幅方向として説明する。
図１に示すように、日射遮蔽部材１は、第１縦部材２と、第２縦部材３と、第１縦部材２と第２縦部材３に渡って上下方向に間隔を置いて取り付けた複数の板状部材４を備えている。
第１縦部材２と第２縦部材３は長さ方向及び幅方向に位置がずれている。
第１縦部材２は長さ方向一方側で、幅方向一方側に位置する。
第２縦部材３は長さ方向他方側で、幅方向他方側に位置する。
板状部材４は、長さ方向一方側の第１端部４ａと、長さ方向他方側の第２端部４ｂと、幅方向一方側の第３端部４ｃと、幅方向他方側の第４端部４ｄの４つの端部を有した平面形状が幅狭で長尺な長方形状である。
【００１７】
第１縦部材２は、その幅方向他方側の取付部２ａを、各板状部材４の第３端部４ｃにおける第１端部４ａ寄りに取り付け、第１縦部材２は各板状部材４よりも幅方向一方側に張り出している。
第２縦部材３は、その幅方向一方側の取付部３ａを、各板状部材４の第４端部４ｄにおける第２端部４ｂ寄りに取り付け、第２縦部材３は各板状部材４よりも幅方向他方側に張り出している。
実施の形態では、第１縦部材２と各板状部材４の第１端部４ａは面一で、第２縦部材３と各板状部材４の第２端部４ｂは面一である。
これに限ることはない。例えば、第１縦部材２を板状部材４の第１端部４ａより長さ方向一方側に張り出したり、第１端部４ａを第１縦部材２より長さ方向一方側に張り出しても良い。
また、第２縦部材３を板状部材４の第２端部４ｂより長さ方向他方側に張り出したり、第２端部４ｂを第２縦部材３より長さ方向他方側に張り出しても良い。
【００１８】
日射遮蔽部材１は前述のとおりであるから、日射遮蔽部材１の長さ方向他方側で幅方向一方側及び、日射遮蔽部材１の長さ方向一方側で幅方向他方側には縦部材が存在しない。
【００１９】
隣接した２つの日射遮蔽部材における一方の日射遮蔽部材１（１ａ）の板状部材４と、他方の日射遮蔽部材１（１ｂ）の板状部材４とは上下方向に位置がずれ、一方の日射遮蔽部材１（１ａ）の板状部材４が他方の日射遮蔽部材１（１ｂ）の上下の板状部材４の上下中間に位置し、他方の日射遮蔽部材１（１ｂ）の板状部材４が一方の日射遮蔽部材１（１ａ）の上下の板状部材４の上下中間に位置している。
【００２０】
このようであるから、一方の日射遮蔽部材１（１ａ）を矢印ａ方向に移動することで、第２縦部材３の取付部３ａが他方の日射遮蔽部材１（１ｂ）の板状部材４の第４端部４ｄに沿って移動し、板状部材４の第３端部４ｃが他方の日射遮蔽部材１（１ｂ）の第１縦部材２の取付部２ａに沿って移動し、２つの日射遮蔽部材１（１ａ），１（１ｂ）は図２に示す収納状態となる。
【００２１】
図２に示す収納状態であると、一方の日射遮蔽部材１（１ａ）の板状部材４と他方の日射遮蔽部材１（１ｂ）の板状部材４とが重なり合い、一方の日射遮蔽部材１（１ａ）の第１縦部材２、他方の日射遮蔽部材１（１ｂ）の第１縦部材２と一列状に連続し、第２縦部材３相互も一列状に連続する。
【００２２】
本発明の日射遮蔽装置の実施の形態を説明する。
図３と図４に示すように、日射遮蔽装置５は複数の日射遮蔽部材１と、上レール６と、下レール７とを備えている。
実施の形態では、戸先側の第１の日射遮蔽部材１（１−１）と、戸尻側の第２の日射遮蔽部材１（１−２）と、戸先側と戸尻側との間の中間の第３の日射遮蔽部材１（１−３）とを有している。
【００２３】
なお、以下の説明において、第１の日射遮蔽部材１−１の第１縦部材２を（２−１）、第２縦部材３を（３−１）、板状部材４を（４−１）とし、第２の日射遮蔽部材１−２の第１縦部材２を（２−２）、第２縦部材３を（３−２）、板状部材４を（４−２）とし、第３の日射遮蔽部材１−３の第１縦部材２を（２−３）、第２縦部材３を（３−３）、板状部材４を（４−３）として説明する。
【００２４】
第２の日射遮蔽部材１−２の上下に隣接した板状部材（４−２）間に、第３の日射遮蔽部材１−３の１つの板状部材（４−３）及び第１の日射遮蔽部材１−１の１つの板状部材（４−１）が入り込むようにしてある。
つまり、各日射遮蔽部材１−１，１−２，１−３の板状部材（４−１），（４−２），（４−３）の上下間隔は同一である。第１の日射遮蔽部材１−１の板状部材（４−１）と第３の日射遮蔽部材１−３の板状部材（４−３）は、板状部材４の上下の間隔の１／３だけ上下にずれている。第３の日射遮蔽部材１−３の板状部材（４−３）と第２の日射遮蔽部材１−２の板状部材（４−２）は板状部材４の上下の間隔１／３だけ上下にずれている。
【００２５】
上レール６は、躯体８における窓開口９の上縁９ａに沿って取り付けてある。
下レール７は、躯体８における窓開口９の下縁９ｂに沿って取り付けてある。
上レール６、下レール７は躯体８の室外側に取り付けられ、上レール６、下レール７は室外側に突出している。
これにより、各日射遮蔽部材１−１，１−２，１−３は躯体８の室外側に取り付けてある。
【００２６】
各日射遮蔽部材１−１，１−２，１−３の第１縦部材２の上部及び第２縦部材３の上部は上レール６に沿って移動自在に支持され、第１縦部材２の下部及び第２の日射遮蔽部材１−２の第２縦部材（３−２）の下部は下レール７に沿って移動自在に支持されている。
【００２７】
図３と図４は、各日射遮蔽部材１−１，１−２，１−３が展開した状態で、各日射遮蔽部材１−１，１−２，１−３が窓開口９を覆っている。
各日射遮蔽部材１−１，１−２，１−３の第１縦部材２が室内側寄りで、第２縦部材３が室外側寄りで、第１縦部材２が展開側で、第２縦部材３が収納側である。
第１の日射遮蔽部材１−１の第２縦部材（３−１）と第３の日射遮蔽部材１−３の第１縦部材（２−３）が室内外側方向に重なり合う。
第３の日射遮蔽部材１−３の第２縦部材（３−３）と第２の日射遮蔽部材１−２の第１縦部材（２−２）が室内外側方向に重なり合う。
各板状部材４は一直線状に連続する。
【００２８】
上レール６と下レール７の長さ方向の一端部は窓開口９の一方の縦縁９ｃとほぼ同一位置で、長さ方向の他端部は窓開口９の他方の縦縁９ｄより突出している。
図５と図６は、各日射遮蔽部材１−１，１−２，１−３を収納した状態で、各日射遮蔽部材１−１，１−２，１−３は上レール６、下レール７の長さ方向他方側において、板状部材４が上下に重なり合うように収納され、各日射遮蔽部材１−１，１−２，１−３は窓開口９の他方の縦縁９ｄよりも躯体８側に突出している。
各日射遮蔽部材１−１，１−２，１−３の第１縦部材２は室内側寄りにおいて移動方向に一列状に連続し、第２縦部材３は室外側寄りにおいて一列状に連続する。
これにより、窓開口９は全開放する。
【００２９】
実施の形態の日射遮蔽装置５は、図１、図２に示す日射遮蔽部材１を窓開口９の室外側に取り付け、日射遮蔽部材１（板状部材４）の幅方向が室内外側方向に向かう。日射遮蔽部材１の幅方向一方側が室内側で、幅方向他方側が室外側である。
日射遮蔽部材１（板状部材４）の長さ方向は窓開口９の左右方向に向かう。
【００３０】
次に各部の詳細を説明する。なお、日射遮蔽部材１の幅方向を室内外側方向とし、幅方向一方側を室内側、幅方向他方側を室外側とし、長さ方向を左右方向として説明する。
図７に示すように、第１縦部材２は、第１縦材２０と第２縦材２１を取り付け、取り外し自在に連結してある。
第１縦材２０は、左右方向に延びる取付壁２０ａと、取付壁２０ａの左右方向両端部に室内側に向けて設けた一対の側壁２０ｂとで室内側に向けて開口した断面コ字状の長尺材である。
一対の側壁２０ｂの突出端に係合部２２が形成してある。
第２縦材２１は、左右方向に対向し室内外側方向に延びる一対の第１壁２１ａと、室内外側方向に対向し左右方向に延びる一対の第２壁２１ｂとで矩形断面の長尺材である。
一対の第１壁２１ａの室内側に係合受部２３を有している。
第１縦材２０と第２縦材２１は係合部２２と係合受部２３を係合することで連結される。
第２縦材２１を取り外した状態で、第１縦材２０の取付壁２０ａ（室外側壁）を板状部材４の第３端部（室内側部）４ｃに接し、ビス２４で固着することで、第１縦部材２に板状部材４を取り付ける。
この後、第１縦材２０に第２縦材２１を嵌め込み、係合受部２３を係合部２２に係合することで、第１縦材２０と第２縦材２１を連結し、第１縦部材２とする。
【００３１】
このようであるから、第１縦部材２を板状部材４にビス２４で強固に取り付けできると共に、そのビス２４が見えないようにできる。
図７は第１の日射遮蔽部材１−１の第１縦部材（２−１）を示しているが、第２・第３の日射遮蔽部材１−２，１−３の第１縦部材（２−２），（２−３）も同じである。
【００３２】
図８に示すように、第２縦部材３は第１縦材３０と第２縦材３１を取り付け、取り外し自在に連結してある。
第１縦材３０は第１縦部材２の第１縦材２０と同一で、取付壁３０ａと一対の側壁３０ｂとで室外側に開口した断面コ字状の長尺材である。
第２縦材３１は第１縦部材２の第２縦材２１と同じで、一対の第１壁３１ａと一対の第２壁３１ｂとで矩形断面の長尺材である。
第１縦材３０の取付壁３０ａを板状部材４の第４端部４ｄにビス３４で固着して取り付け、第１縦材３０に第２縦材３１を嵌め込み、係合受部３３と係合部３２を係合することで第１縦材３０と第２縦材２１を連結する。
つまり、第２縦部材３は第１縦部材２と同一で、幅方向に反転して板状部材４の第４端部４ｄに取り付ける。
図８は第２の日射遮蔽部材１−２の第２縦部材（３−２）を示しているが、第１・第３日射遮蔽部材１−１，１−３の第２縦部材（３−１），（３−３）も同じである。
【００３３】
図９に示すように、板状部材４は上壁４０と下壁４１と一端壁４２と他端壁４３とで中空形状で、内部に上壁４０と下壁４１に接する補強材４４が設けてあると共に、内部に一端壁４２と上壁４０、下壁４１に接する第１挿入片４５と、他端壁４３と上壁４０、下壁４１に接する第２挿入片４６が設けてある。
第１縦部材２からビス２４を一端壁４２に螺合して取り付ける。つまり、一端壁４２が第３端部（室内側）４ｃである。
第２縦部材３からビス３４を他端壁４３に螺合して取り付ける。つまり、他端壁４３が第４端部（室内側）４ｄである。
【００３４】
図９に示すように、上レール６は第１レール６０と第２レール６１を有し、第１レール６０が室内側で、第２レール６１が室外側である。
各日射遮蔽部材１−１，１−２，１−３の第１縦部材２の上部に第１吊車６２が取り付けてある。第１吊車６２は第１レール６０に走行自在に接し、各第１縦部材２は上レール６で走行自在に吊り下げ支持されている。
各日射遮蔽部材１−１，１−２，１−３の第２縦部材３の上部に第２吊車６３が取り付けてある。第２吊車６３は第２レール６１に走行自在に接し、各第２縦部材３は上レール６で走行自在に吊り下げ支持されている。
このようであるから、各日射遮蔽部材１−１，１−２，１−３は共通の上レール６に走行自在に吊り下げ支持されている。
【００３５】
上レール６は、本体６４を備えている。本体６４は上壁６４ａと下壁６４ｂと取付壁６４ｃと連結壁６４ｄを有し、取付壁６４ｃが躯体８に固着したブラケット６５に固着してある。
下壁６４ｂの室内外側方向中間に、第１レール溝６６を有し、下壁６４ｂの室外側に第２レール溝６７を有している。
下壁６４ｂに第１レール部材６８をビスで固着して取り付け、第１レール部材６８のレール溝６８ａと第１レール溝６６が相対向し、第１レール６０を形成している。
下壁６４ｂに第２レール部材６９をビスで固着して取り付け、第２レール部材６９のレール溝６９ａと第２レール溝６７が相対向し、第２レール６１を形成している。
つまり、第１レール６０と第２レール６１は室内外側方向に対向した一対のレール溝を有している。
【００３６】
第１吊車６２は一対の吊車６２ａを有し、一対の吊車６２ａが第１レール６０の一対のレール溝に接して吊り下げられる。
第２吊車６３は一対の吊車６３ａを有し、一対の吊車６３ａが第２レール６１の一対のレール溝に接して吊り下げられる。
このようであるから、各日射遮蔽部材１−１，１−２，１−３を室内外側方向に振れ動くことがないように、安定して吊り下げ支持できる。
第１吊車６２、第２吊車６３を吊り下げるときは、第１・第２レール部材６８，６９を取り外し、一方の吊車６２ａ、吊車６３ａを一方のレール溝に接した後に、第１・第２レール部材６８，６９を取り付けて一対の吊車６２ａ，６３ａを吊り下げ支持する。
【００３７】
図１０に示すように、下レール７はガイド縦溝７０を有している。ガイド縦溝７０は下向きに開口し、下レール７の長さ方向に連続している。
ガイド縦溝７０の室内側と室外側とにガイド片７１を室内外側方向に相対向して設けてある。
【００３８】
下レール７は第１レール部材７２と第２レール部材７３を備えている。
第１レール部材７２は縦壁７２ａと横壁７２ｂで鉤形状で、縦片７２ａを躯体８に固着して取り付ける。
横壁７２ｂの下向片７２ｂ−１に第２レール部材７３をビス７４で固着して取り付け、第２レール部材７３と第１レール部材７２の縦壁７２ａとで縦ガイド溝７０を形成している。
第２レール部材７３のガイド縦溝７０より上にストッパ受７５がビス７６で固着して取り付けてある。
【００３９】
図４、図１１に示すように、各第１縦部材２の下端部に第１下ガイド７７が室内側に向けて水平に取り付けてある。
各第１下ガイド７７は、横向片７７ａと、横向片７７ａの室内側に設けた上向片７７ｂを有し、横向片７７ａの室外側を第１縦部材２の下端面にビス７７ｃで固着して取り付け、上向片７７ｂを縦ガイド溝７０に下から上に向けて挿入してある。
これにより、各第１縦部材２の下端部は第１下ガイド７７により下レール７の縦ガイド溝７０に沿って走行自在に支持され、第１縦部材２の下端部が室内外側方向に振れ動くことを抑制している。
実施の形態の第１下ガイド７７は、平板７７−１と鉤形板７７−２に分割し、平板７７−１に鉤形板７７−２を室内外側方向に移動自在に取り付けてあるので、上向片７７ｂの室内外側方向の位置を調整できる。これに限ることはなく、第１下ガイド７７は一体であっても良い。
【００４０】
本発明の日射遮蔽装置５は、各日射遮蔽部材１−１，１−２，１−３の第１縦部材２の上部及び第２縦部材３の上部を上レール６で吊り下げ支持し、各第１縦部材２の下部を下レール７で室内外側方向に振れ動くことがないように支持したので、各日射遮蔽部材１−１，１−２，１−３をスムーズに展開、収納することができる。
【００４１】
図４、図１０に示すように、第２の日射遮蔽部材１−２の第２縦部材（３−２）の下端部に第２下ガイド７８が室内側に向けて水平に取り付けてある。
第２下ガイド７８は横向片７８ａと、横向片７８ａの室内側に設けた上向片７８ｂを有し、横向片７８ａの室外側を第２縦部材３の下端面にビス７８ｃで固着して取り付け、上向片７８ｂを縦ガイド溝７０に下から上に向けて挿入してある。
上向片７８ｂの上部はストッパ受７５とほぼ同一高さで、上向片７８ｂの上部はストッパ受７５と干渉するようにしてある。
なお、第１下ガイド７７の上向片７７ｂの上部はストッパ受７５より低く、上向片７７ｂはストッパ受７５と干渉することがない。また、第２の日射遮蔽部材１−２の第１縦部材（２−２）の下端部に取り付けた第１下ガイド７７の上向片７７ｂの上部をストッパ受７５とほぼ同一高さにして、ストッパ受７５と干渉させるようにしても良い。この場合ストッパ受７５は、図４に示す第２の日射遮蔽部材１−２の第１縦部材（２−２）よりも展開側の位置の下レール７に取り付ければ良い。
【００４２】
これにより、第２の日射遮蔽部材１−２の第２縦部材（３−２）は、第２下ガイド７８で下レール７の縦ガイド溝７０に沿って走行自在に支持され、第２縦部材３の下端部が室内外側方向に振れ動くことを抑制している。
つまり、第２の日射遮蔽部材１−２の第２縦部材（３−２）は第１縦部材（２−２）と左右方向に離隔しているので、第２の日射遮蔽部材１−２の第２縦部材（３２）寄り部位は支持されていないから、室内外側方向に振れ動き易い。
このために、第２下ガイド７８で第２縦部材（３−２）の下端部を下レール７で支持し、第２の日射遮蔽部材１−２の第２縦部材（３−２）寄り部位の振れ動きを抑制している。
【００４３】
第２下ガイド７８は第１下ガイド７７と同様に、平板７８−１と鉤形片７８−２に分割し、平板７８−１に鉤形片７８−２を室内外側方向に移動自在に取り付けてあるので、上向片７８ｂの室内外側方向の位置を調整できる。
これに限ることはなく、第２下ガイド７８は一体であっても良い。
【００４４】
第１・第２下ガイド７７，７８を下レール７に支持するときは、第２レール部材７３を第１レール部材７２から取り外し、第１・第２下ガイド７７，７８の上向片７７ｂ，７８ｂを第１レール部材７２の内に収容させる。
この状態で第２レール部材７３を第１レール部材７２にビス７４で固着して取り付け、縦ガイド溝７０を形成する。
【００４５】
このようにすることで、第１・第２下ガイド７７，７８を下レール７の縦ガイド溝７０に簡単に挿入することができる。
このことと、前述の上レール６に吊車を簡単に支持できることにより、各日射遮蔽部材１−１，１−２，１−３を上レール６と下レール７に簡単に支持することができる。
【００４６】
図４、図１２、図１３、図１４に示すように、第２の日射遮蔽部材１−２の最下部の板状部材４−２、第３の日射遮蔽部材１−３の最下部の板状部材４−３は、下向きに開口した凹部８０を左右方向（つまり、長さ方向）に連続して有している。
実施の形態では、最下部の板状部材４−２，４−３は、図１２に示すように、上壁４０と下壁４１と一端壁４２と他端壁４３とで中空形状で、上壁４０と下壁４１とに渡って室内外側方向一対の縦壁４７が一体に設けてある。下壁４１の一対の縦壁４７間に左右方向に連続した開口部４８を有している。
一対の縦壁４７は対向した凹条溝４７ａを有し、各凹条溝４７ａにガイド片４９をそれぞれ左右方向に連続して取り付けてある。
開口部４８と一対のガイド片４９とで下向きに開口した凹部８０としてある。
【００４７】
最下部の板状部材４−２の左右一方側の端部の下面（第３の日射遮蔽部材１−３の第２縦部材３−３側の端部における下面）と、最下部の板状部材４−３の左右の一方側の端部の下面（第１の日射遮蔽部材１−１の第２縦部材３−１側の端部における下面）にストッパ受部材８１をそれぞれ取り付ける。左右方向一方側は展開側で、左右方向他方側は収納側である。
ストッパ受部材８１は取付部８１ａとストッパ受部８１ｂを有し、取付部８１ａを板状部材４−２，４−３の下壁４１にビス８２で固着して取り付けてある。
ストッパ受部材８１のストッパ受部８１ｂは凹部８０内に突出している。
【００４８】
ストッパ受部材８１は、図１５に示すように、プレート８３の中間部位を切り起こして立上り片８４とし、プレート８３に孔８５を形成してある。プレート８３の孔８５からビス８２を下壁４１に螺合してプレート８３を下壁４１に取り付けることで、立上り片８４を凹部８０内に突出している。
【００４９】
第１の日射遮蔽部材１−１の第２縦部材（３−１）の下部及び第３の日射遮蔽部材１−３の第２縦部材（３−３）の下部にストッパ部材９０をそれぞれ取り付けてある。
ストッパ部材９０は、取付部９０ａとストッパ部９０ｂを有し、取付部９０ａを第２縦部材３の下部に固着して取り付け、ストッパ部９０ｂが最下部の板状部材４−２，４−３の凹部８０内に突出し、ストッパ部９０ｂがストッパ受部材８１のストッパ受部８１ｂに当接する。
【００５０】
ストッパ部材９０の取付部９０ａは、図１５に示すように、左右方向に延びる第１片９１と、第１片９１の左右方向両端に室外側に向けて一体に設けた一対の第２片９２とでコ字形状で、取付部９０ａを第２縦部材３（３−１），（３−３）に嵌合し、一対の第２片９２をビス９３で固着して取り付ける。
ストッパ部９０ｂは、第１片９１と連続し室内側に向けて設けた横向片９４と、横向片９４と連続した上向片９５を有し、上向片９５がストッパ部９０ｂである。
【００５１】
このようであるから、図５、図６に示す収納状態から図３、図４に示す展開状態とするために、第１の日射遮蔽部材１−１の第１縦部材（２−１）を展開方向に移動したときは、第２縦部材（３−１）に取り付けたストッパ部材９０のストッパ部９０ｂが第３の日射遮蔽部材１−３の板状部材（４−３）の凹部８０に沿って移動する。これにより、ストッパ部９０ｂが板状部材（４−３）に取り付けたストッパ受部材８１のストッパ受部８１ｂに当接する。
【００５２】
第１の日射遮蔽部材１−１の第１縦部材（２−１）を展開方向にさらに移動すると、第１の日射遮蔽部材１−１と第３の日射遮蔽部材１−３が展開方向に移動し、第２縦部材（３−３）に取り付けたストッパ部材９０のストッパ部９０ｂが第２の日射遮蔽部材１−２の板状部材（４−２）の凹部８０に沿って移動することで、ストッパ部９０ｂが板状部材（４−２）に取り付けたストッパ受部材８１のストッパ受部８１ｂに当接する。
これにより、第１・第２・第３の日射遮蔽部材１−１，１−２，１−３は順次引き出しされた展開状態となる。
【００５３】
第１の日射遮蔽部材１−１の第１縦部材（２−１）を展開方向にさらに移動すると、第１の日射遮蔽部材１−１と第３の日射遮蔽部材１−３と第２の日射遮蔽部材１−２が一体となって展開方向に移動し、図３に示すように窓開口９を覆う。
このとき、第２の日射遮蔽部材１−２の第２縦部材３の下端部に取り付けた第２下ガイド７８の上向片７８ｂがストッパ受７５に当接し、第１・第２・第３の日射遮蔽部材１−１，１−２，１−３が展開方向に移動しないように規制する。
【００５４】
このようであるから、第１の日射遮蔽部材１−１を展開方向に移動することで、第３の日射遮蔽部材１−３、第２の日射遮蔽部材１−２を順次展開方向に移動して展開状態とすることができる。
【００５５】
しかも、第１・第２・第３の日射遮蔽部材１−１，１−２，１−３を展開した状態とし、各日射遮蔽部材１−１，１−２，１−３を一体として展開方向に移動することができる。
このようであるから、図３、図４に示すように窓開口９を完全に覆うことができると共に、図５、図６に示すように窓開口９を完全に開放することができる。
【００５６】
凹部８０は最下部の板状部材（４−３），（４−２）の下壁４１に開口し、その下壁４１にストッパ受部材８１を取り付けたので、凹部８０、ストッパ受部材８１が展開した状態で目立つことがない。
ストッパ部材９０は第２縦部材（３−１），（３−３）の下部に取り付けられ、板状部材（４−３），（４−２）の真下に位置しているから、ストッパ部材９０が目立つことがない。
これにより、第１・第２・第３の日射遮蔽部材１−１，１−２，１−３が展開した状態での意匠性が良い。
【００５７】
図７に示すように、第１の日射遮蔽部材１−１の第１縦部材（２−１）に錠１００が取り付けてある。
図７に示すように、躯体８の窓開口９の一方の縦縁９ｃ寄り、つまり展開側及び図８に示すように躯体８の窓開口９の他方の縦縁９ｄ寄り、つまり収納側に錠受１１０がそれぞれ取り付けてある。
錠１００は、図１６に示すように錠本体１０１と、錠本体１０１に設けた錠杆１０２と、錠本体１０１に設けた操作摘み１０３とを備えている。
操作摘み１０３を図１６に示すように錠本体１０１の下方に移動すると、錠杆１０２は実線で示すように、錠本体１０１の左右方向の一方側（つまり、展開側）に突出し、錠１００は施錠状態となる。
操作摘み１０３を上方に移動すると、錠杆１０２は仮想線で示すように錠本体１０１の左右方向の他方側（つまり、収納側）に突出し、錠１００は施錠状態となる。
【００５８】
錠１００は図７に示すように、錠本体１０１を第１縦部材（２−１）の室内側面（第２縦材２１の第２壁２１ｂ）に、操作摘み１０３が室内側に向かうように取り付けてある。
錠受１１０は、図７、図８に示すように、基端片１１１と、基端片１１１に連結した先端片１１２を備え、基端片１１１が躯体８に固着具で取り付けてある。
先端片１１２は室内外側方向に延びる第１片１１２ａと、第１片１１２ａの先端に左右方向に向けて設けた第２片１１２ｂとで鉤形状で、第２片１１２ｂの先端に室内側に向けて錠受片１１２ｃを設けてある。
【００５９】
図７に示すように、第１・第２・第３の日射遮蔽部材１−１，１−２，１−３が展開状態のときに、第１縦部材（２−１）に取り付けた錠１００の一方側に、展開側に取り付けた錠受１１０が位置する。
錠１００の操作摘み１０３を下方位置とすることで、錠杆１０２が錠本体１０１の一方側に突出し、錠受１１０の錠受片１１２ｃに係止することで、展開した状態の日射遮蔽部材を収納方向に移動しないように施錠する。
【００６０】
図６に示すように、第１・第２・第３の日射遮蔽部材１−１，１−２，１−３が収納状態のときに、第１縦部材（２−１）に取り付けた錠１００の他方側に、収納側に取り付けた錠受１１０が位置する。
錠１００の操作摘み１０３を上方に移動して上方位置とすることで、錠杆１０２が錠本体１０１の他方側に突出し、錠杆１０２が錠受１１０の錠受片１１２ｃに係止し、収納した状態の日射遮蔽部材を展開方向に移動しないように施錠する。
【００６１】
錠と錠受の第２の実施の形態を図１６〜図１８を参照して説明する。
錠１００は、錠本体１０１と錠杆１０２と操作摘み１０３を備え、前述の第１の実施の形態の錠１００と同一である。
錠受１１０は、取付部１１３の室外側に設けた中空部１１４を有し、中空部１１４は室内外側方向に延びる第１壁１１４ａ、第２壁１１４ｂと、左右方向に延びる室内側の第３壁１１４ｃ、室外側の第４壁１１４ｄで矩形中空形状で、第２壁１１４ｂが第１の日射遮蔽部材１−１の第１縦部材（２−１）と隣接している。その第２壁１１４ｂに錠受プレート１１５が固着してある。
錠１００の操作摘み１０３を下方に移動することで、錠杆１０２が錠本体１０１の一方側に突出し、錠受プレート１１５に係止することで施錠する。つまり、この実施の形態は、展開側に取り付けた状態である。
【００６２】
このように、錠杆１０２と錠受１１０（錠受プレート１１５）との係止部は、中空部１１４の第１壁１１４ａ、第３壁１１４ｃ、第４壁１１４ｄ及び取付部１１３で覆われて隠蔽されているので、室外側から錠杆１０２と錠受１１０との係止部を目視し難い。
しかも、錠本体１０１、操作摘み１０３は錠受１１０で隠蔽され、室外側から目視し難い。
これらが相俟って、室外側から錠１００の存在を視認できないので、室外側から故意に解錠して日射遮蔽部材を収納方向に移動することを防止でき、防犯上好ましい。
【００６３】
第１縦部材（２−１）の室内側面に補助錠１２０が取り付けてある。
補助錠１２０は、取付部１２１と錠部１２２を備え、取付部１２１は第１縦部材（２−１）の室内側面に上下方向に移動自在に取り付けられ、補助錠１２０は第１位置と第２位置とに渡って上下方向に移動する。錠部１２２は錠１００の錠本体１０１の他方側に位置している。
【００６４】
補助錠１２０が第１位置であると、錠部１２２は錠１００の錠杆１０２と上下方向に位置がずれ、錠杆１０２は錠本体１０１の他方側に突出可能である。
補助錠１２０が第２位置であると、錠部１２２は錠１００の錠杆１０２と同一高さで、錠１００の操作摘み１０３を操作して錠杆１０２を錠本体１０１の他方側に突出しようとしたときに錠杆１０２が錠部１２２に当接し、錠杆１０２が錠本体１０１の他方側に突出できないようにする。
【００６５】
このようであるから、錠１００の操作摘み１０３を操作し、錠杆１０２を錠本体１０１の一方側に突出して錠受１１０（錠受プレート１１５）に係止して施錠した状態で、補助錠１２０を第２位置に移動することにより、錠杆１０２が錠部１２２で錠本体１０１の他方側に突出できないから、操作摘み１０３を操作して錠杆１０２を錠本体１０１の他方側に突出することができない。つまり、錠杆１０２を錠受１１０（錠受プレート１１５）から外して解錠できない。
したがって、第１の日射遮蔽部材１−１の室外側から板状部材（４−１）間に手を入れて操作摘み１０３を操作することで解錠できないので、防犯上好ましい。
【００６６】
補助錠１２０は、左右方向に延びる第１プレート１２３と、第１プレート１２３の左右方向の他方縁に設けた室内側に延びる第２プレート１２４を備え、第２プレート１２４は第１プレート１２３よりも下方に突出している。
第１プレート１２３は左右方向一対の縦溝１２５を有し、縦溝１２５の下部に左右方向に向かう切欠部１２６が形成してある。
第１プレート１２３を第１縦部材（２−１）の室内側面に接し、縦溝１２５からビス１２７を第１縦部材（２−１）の室内側面に螺合することで、補助錠１２０は第１位置と第２位置とに渡って上下方向に移動自在に取り付ける。つまり、第１プレート１２３が取付部１２１である。
第２プレート１２４は錠本体１０１よりも他方側に位置している。つまり、第２プレート１２４が錠部１２２である。
【００６７】
図１８に示すように、第１プレート１２３の縦溝１２５の切欠部１２６をビス１２７に接することで、補助錠１２０は第１位置となる。
第２プレート１２４は錠本体１０１の錠杆１０２が出没する開口部１０１ａより上に位置し、錠杆１０２は錠本体１０１の他方側に突出可能である。
【００６８】
図１９、図２０に示すように、第１プレート１２３の縦溝１２５の上端部をビス１２７に当接することで、補助錠１２０は第２位置となる。
第２プレート１２４は錠本体１０１の開口部１０１ａと対向して開口部１０１ａを閉じ、開口部１０１ａから錠杆１０２が突出しないようにする。
【００６９】
実施の形態は、展開側であるが、収納側の場合には錠受１１０と補助錠１２０を左右反転して取り付けすれば良い。
【００７０】
実施の形態は、３つの日射遮蔽部材１−１，１−２，１−３を有しているが、日射遮蔽部材は２つでも良いし、４つ以上でも良い。
つまり、戸先側の第１の日射遮蔽部材１−１と戸尻側の第２の日射遮蔽部材１−２とで２つの日射遮蔽部材を有している日射遮蔽装置とする。
戸先側の第１の日射遮蔽部材１−１と、戸尻側の第２の日射遮蔽部材１−２と、複数の中間の第３日射遮蔽部材１−３とで４つ以上の日射遮蔽部材を有している日射遮蔽装置とする。
【００７１】
下レール７を第２縦部材３まで室外側に突出する形状とし、第１縦部材２の下部と第３縦部材３の下部を下レール７で支持するようにしても良い。
【符号の説明】
【００７２】
１…日射遮蔽部材、１−１…戸先側の第１の日射遮蔽部材、１−２…戸尻側の第２の日射遮蔽部材、１−３…中間の第３の日射遮蔽部材、２…第１縦部材、３…第２縦部材、４…板状部材、５…日射遮蔽装置、６…上レール、７…下レール、７５…ストッパ受、７７…第１下ガイド、７８…第２下ガイド、８０…凹部、８１…ストッパ受部材、８１ｂ…ストッパ受部、９０…ストッパ部材、９０ｂ…ストッパ部、１００…錠、１０１…錠本体、１０２…錠杆、１０３…操作摘み、１１０…錠受、１２０…補助錠、１２１…取付部、１２２…錠部。
【図１】
2015124515.tif 000003
【図２】
2015124515.tif 000004
【図３】
2015124515.tif 000005
【図４】
2015124515.tif 000006
【図５】
2015124515.tif 000007
【図６】
2015124515.tif 000008
【図７】
2015124515.tif 000009
【図８】
2015124515.tif 000010
【図９】
2015124515.tif 000011
【図１０】
2015124515.tif 000012
【図１１】
2015124515.tif 000013
【図１２】
2015124515.tif 000014
【図１３】
2015124515.tif 000015
【図１４】
2015124515.tif 000016
【図１５】
2015124515.tif 000017
【図１６】
2015124515.tif 000018
【図１７】
2015124515.tif 000019
【図１８】
2015124515.tif 000020
【図１９】
2015124515.tif 000021
【図２０】
2015124515.tif 000022